(57)【要約】【課題】光の明るさにむらが生じることを抑制することが可能な照明装置を提供する。【解決手段】この直管型ＬＥＤ照明装置１００（照明装置）は、ＬＥＤ素子３１と、ＬＥＤ素子３１が配置されるＬＥＤ用基板３と、ＬＥＤ素子３１およびＬＥＤ用基板３を覆うように配置されるカバー１と、ＬＥＤ素子３１の光出射面３１ａ側で、かつ、ＬＥＤ素子３１に対向するようにカバー１に設けられ、ＬＥＤ素子３１からの光を拡散反射する凸部１３とを備える。凸部１３は、ＬＥＤ素子３１の光出射面３１ａに対向する部分Ａの厚みがＬＥＤ素子３１の光出射面３１ａに対向する部分Ａから離れた部分の厚みよりも大きくなるように形成されている。【選択図】図４
2014026940.tif 000002
【特許請求の範囲】
【請求項１】
発光素子と、
前記発光素子が配置される基板と、
前記発光素子および前記基板を覆うように配置されるカバーと、
前記発光素子の光出射面側で、かつ、前記発光素子に対向するように前記カバーに設けられ、前記発光素子からの光を拡散反射する拡散反射部とを備え、
前記拡散反射部は、前記発光素子の光出射面に対向する部分の厚みが前記発光素子の光出射面に対向する部分から離れた部分の厚みよりも大きくなるように形成されている、照明装置。
【請求項２】
前記拡散反射部は、前記発光素子の指向角の範囲内に位置するように前記カバーに設けられている、請求項１に記載の照明装置。
【請求項３】
前記カバーは、前記発光素子からの光を拡散反射可能に構成されており、
前記拡散反射部における光の透過量に対する光の拡散反射量の割合は、前記拡散反射部が設けられていない部分の前記カバーにおける光の透過量に対する光の拡散反射量の割合よりも大きくなるように構成されている、請求項１または２に記載の照明装置。
【請求項４】
前記拡散反射部は、前記カバーに一体的に形成されており、
前記拡散反射部における前記カバーの厚みは、前記拡散反射部が設けられていない部分における前記カバーの厚みよりも大きい、請求項３に記載の照明装置。
【請求項５】
前記拡散反射部における前記カバーの厚みは、前記カバーの前記発光素子の光出射面に対向する部分において最大になるように形成されている、請求項４に記載の照明装置。
【請求項６】
前記拡散反射部における前記カバーの厚みは、前記発光素子の光出射面に対向する部分から遠ざかるにしたがって徐々に小さくなるように形成されている、請求項５に記載の照明装置。
【請求項７】
前記拡散反射部は、前記カバーの前記発光素子の光出射面に対向する部分に頂部が位置するような凸形状に形成されている、請求項５または６に記載の照明装置。
【請求項８】
前記凸形状の拡散反射部は、前記カバーの内面から突出するように形成されており、
前記拡散反射部における前記カバーの内面と、前記拡散反射部が設けられていない部分における前記カバーの内面とは、曲面状に接続されている、請求項７に記載の照明装置。
【請求項９】
前記拡散反射部は、前記カバーとは別個に設けられた拡散反射部材からなり、
前記拡散反射部材が配置された部分における前記拡散反射部材と前記カバーとの合計の厚みは、前記拡散反射部材が配置されていない部分における前記カバーの厚みよりも大きい、請求項１〜３のいずれか１項に記載の照明装置。
【請求項１０】
前記基板は、長手方向に延びるように形成されており、
前記カバーは、前記長手方向に管状に延びるように形成されており、
前記発光素子は、前記長手方向に延びる前記基板に沿って前記長手方向に複数配置されており、
前記拡散反射部は、前記長手方向と直交する短手方向において、前記発光素子の光出射面に対向する部分の厚みが前記発光素子の光出射面に対向する部分から離れた部分の厚みよりも大きくなるように形成されているとともに、前記長手方向に管状に延びる前記カバーに沿って前記長手方向に略一定の厚みで延びるように形成されている、請求項１〜９のいずれか１項に記載の照明装置。
【発明の詳細な説明】
【技術分野】
【０００１】
この発明は、照明装置に関し、特に、カバーと拡散反射部とを備える照明装置に関する。
【背景技術】
【０００２】
従来、カバーと拡散反射部とを備える照明装置が知られている（たとえば、特許文献１参照）。
【０００３】
上記特許文献１には、発光ダイオードが載置される回路基板と、発光ダイオードの光出射面側に配置される半円管状のカバーとを備える蛍光灯タイプの発光装置が開示されている。この発光装置のカバーは、透光性を有するＰＣ（ポリカーボネート）からなるとともに、カバーの内面には、発光ダイオードから出射された光を拡散させるための拡散部材が配置されている。この拡散部材は、カバーの内面に沿って一定の厚みで形成されているとともに、カバーの内面の略全面を覆うように設けられている。
【先行技術文献】
【特許文献】
【０００４】
【特許文献１】特表２０１２−５０４３０７号公報
【発明の概要】
【発明が解決しようとする課題】
【０００５】
ここで、一般的な発光ダイオードは光の指向性が高いため、発光ダイオードの光出射面に対向する領域の光の明るさ（光度）は、発光ダイオードの光出射面に対向する領域から離れた位置の光の明るさよりも大きくなる。このため、上記特許文献１の発光装置のように、拡散部材を、カバーの内面に沿って一定の厚みで形成するとともに、カバーの内面の略全面を覆うように設けた場合には、発光ダイオードの光出射面に対向する領域の光の明るさは、発光ダイオードの光出射面に対向する領域から離れた位置の光の明るさよりも大きくなるという不都合がある。このため、光の明るさにむらが生じるという問題点があると考えられる。
【０００６】
この発明は、上記のような課題を解決するためになされたものであり、この発明の１つの目的は、光の明るさにむらが生じることを抑制することが可能な照明装置を提供することである。
【課題を解決するための手段】
【０００７】
この発明の一の局面による照明装置は、発光素子と、発光素子が配置される基板と、発光素子および基板を覆うように配置されるカバーと、発光素子の光出射面側で、かつ、発光素子に対向するようにカバーに設けられ、発光素子からの光を拡散反射する拡散反射部とを備え、拡散反射部は、発光素子の光出射面に対向する部分の厚みが発光素子の光出射面に対向する部分から離れた部分の厚みよりも大きくなるように形成されている。
【０００８】
この発明の一の局面による照明装置では、上記のように、発光素子からの光を拡散反射する拡散反射部を、発光素子の光出射面に対向する部分の厚みが発光素子の光出射面に対向する部分から離れた部分の厚みよりも大きくなるように形成する。これにより、発光素子の光出射面に対向する部分から離れた部分よりも、光の明るさが大きい発光素子の光出射面に対向する部分においてより多くの光を拡散反射させることができるので、発光素子の光出射面に対向する部分における光の明るさを小さくすることができるとともに、発光素子の光出射面に対向する部分において拡散反射した光が他の部分に拡散されることによって、他の部分の光の明るさを大きくすることができる。この結果、光の明るさにむらが生じることを抑制することができる。
【０００９】
上記一の局面による照明装置において、好ましくは、拡散反射部は、発光素子の指向角の範囲内に位置するようにカバーに設けられている。このように構成すれば、明るさの大きい指向角の範囲内の光を拡散反射させることができるので、光の明るさにむらが生じることを確実に抑制することができる。
【００１０】
上記一の局面による照明装置において、好ましくは、カバーは、発光素子からの光を拡散反射可能に構成されており、拡散反射部における光の透過量に対する光の拡散反射量の割合は、拡散反射部が設けられていない部分のカバーにおける光の透過量に対する光の拡散反射量の割合よりも大きくなるように構成されている。このように構成すれば、拡散反射部が設けられていない部分のカバーにおける光の拡散反射量よりも、拡散反射部における光の拡散反射量を大きくすることができるので、光の明るさにむらが生じることをより抑制することができる。
【００１１】
この場合、好ましくは、拡散反射部は、カバーに一体的に形成されており、拡散反射部におけるカバーの厚みは、拡散反射部が設けられていない部分におけるカバーの厚みよりも大きい。このように構成すれば、拡散反射部がカバーとは別個に設けられている場合と異なり、拡散反射部と拡散反射部が設けられていない部分との境界がユーザに視認されることを容易に抑制することができるとともに、照明装置の構成を簡略化することができる。
【００１２】
上記拡散反射部がカバーに一体的に形成されている構成において、好ましくは、拡散反射部におけるカバーの厚みは、カバーの発光素子の光出射面に対向する部分において最大になるように形成されている。このように構成すれば、光の明るさが最も大きい発光素子の光出射面に対向する部分において最も多くの光を拡散反射させることができるので、光の明るさにむらが生じることを効果的に抑制することができる。
【００１３】
上記カバーの厚みが対向する部分において最大になる構成において、好ましくは、拡散反射部におけるカバーの厚みは、発光素子の光出射面に対向する部分から遠ざかるにしたがって徐々に小さくなるように形成されている。このように構成すれば、カバーの厚みが急激に小さくなる場合と比べて、カバーの厚みが変化する部分がユーザに視認されることを抑制することができる。
【００１４】
上記カバーの厚みが対向する部分において最大になる構成において、好ましくは、拡散反射部は、カバーの発光素子の光出射面に対向する部分に頂部が位置するような凸形状に形成されている。このように構成すれば、容易に、光の明るさが最も大きい発光素子の光出射面に対向する部分において最も多くの光を拡散反射させることができる。
【００１５】
この場合、好ましくは、凸形状の拡散反射部は、カバーの内面から突出するように形成されており、拡散反射部におけるカバーの内面と、拡散反射部が設けられていない部分におけるカバーの内面とは、曲面状に接続されている。このように構成すれば、拡散反射部と拡散反射部が設けられていない部分との境界がユーザに視認されることをより抑制することができる。
【００１６】
上記一の局面による照明装置において、好ましくは、拡散反射部は、カバーとは別個に設けられた拡散反射部材からなり、拡散反射部材が配置された部分における拡散反射部材とカバーとの合計の厚みは、拡散反射部材が配置されていない部分におけるカバーの厚みよりも大きい。このように構成すれば、拡散反射部をカバーに一体的に設ける場合と異なり、カバーの厚みを異ならせることなく、発光素子の光出射面に対向する部分の厚みを発光素子の光出射面に対向する部分から離れた部分の厚みよりも大きくすることができるので、容易にカバーを作成することができる。
【００１７】
上記一の局面による照明装置において、好ましくは、基板は、長手方向に延びるように形成されており、カバーは、長手方向に管状に延びるように形成されており、発光素子は、長手方向に延びる基板に沿って長手方向に複数配置されており、拡散反射部は、長手方向と直交する短手方向において、発光素子の光出射面に対向する部分の厚みが発光素子の光出射面に対向する部分から離れた部分の厚みよりも大きくなるように形成されているとともに、長手方向に管状に延びるカバーに沿って長手方向に略一定の厚みで延びるように形成されている。このように構成すれば、直管型の照明装置の長手方向の全領域において、短手方向の光の明るさにむらが生じることを抑制することができる。
【発明の効果】
【００１８】
本発明によれば、上記のように、光の明るさにむらが生じることを抑制することができる。
【図面の簡単な説明】
【００１９】
【図１】本発明の第１実施形態による直管型ＬＥＤ照明装置の全体の構成を示した斜視図である。
【図２】本発明の第１実施形態による直管型ＬＥＤ照明装置の全体の構成を示した分解斜視図である。
【図３】本発明の第１実施形態による直管型ＬＥＤ照明装置のカバーの内部を示した平面図である。
【図４】図３の４００−４００線に沿った断面図である。
【図５】図３の５００−５００線に沿った断面図である。
【図６】本発明の第１実施形態の変形例による直管型ＬＥＤ照明装置を示した断面図である。
【図７】本発明の第２実施形態による直管型ＬＥＤ照明装置の全体の構成を示した分解斜視図である。
【図８】本発明の第２実施形態による直管型ＬＥＤ照明装置を示した断面図である。
【発明を実施するための形態】
【００２０】
以下、本発明の実施形態を図面に基づいて説明する。
【００２１】
（第１実施形態）
図１〜図５を参照して、本発明の第１実施形態による直管型ＬＥＤ照明装置１００の構成について説明する。なお、直管型ＬＥＤ照明装置１００は、本発明の「照明装置」の一例である。
【００２２】
本発明の第１実施形態による直管型ＬＥＤ照明装置１００は、図１に示すように、直管状に形成されたカバー１と、カバー１の長手方向である管軸方向（Ｘ方向）の両端部に取り付けられる２つのキャップ２とを備えている。このキャップ２には、外側に突出する２つの端子２１が設けられている。
【００２３】
また、カバー１の内部には、図２に示すように、ＬＥＤ素子３１（図３参照）が実装される複数のＬＥＤ用基板３と、複数のＬＥＤ用基板３を支持するとともにＬＥＤ素子３１の熱を放熱するヒートシンク４と、電子部品５ａが実装された電源用基板５と、電子部品６ａが実装された制御用基板６とが収容されている。なお、ＬＥＤ用基板３およびＬＥＤ素子３１は、それぞれ、本発明の「基板」および「発光素子」の一例である。
【００２４】
カバー１は、長手方向（Ｘ方向）に沿って直線状に延びる直管状に形成されている。具体的には、カバー１は、図４に示すように、下方（Ｚ２側）に配置される表部１１と、上方（Ｚ１側）に配置される略半円弧形状の断面を有する裏部１２とを含み、表部１１と裏部１２とが一体となって直管状に形成されている。また、表部１１は、ＬＥＤ素子３１の光出射面３１ａ側（Ｚ２側）に配置されているとともに、裏部１２は、光出射面３１ａとは反対側（Ｚ１側）に配置されている。
【００２５】
また、カバー１は、樹脂材（たとえば、ポリカーボネート）からなり、表部１１と裏部１２とが一体成型されている。表部１１は、乳白色の光拡散材を含み、ＬＥＤ素子３１から出射される光を拡散反射させながら光を透過させることが可能に構成されている。一方、裏部１２は、表部１１よりも光を透過させ難いように構成されている。つまり、表部１１は、半透明に構成され、裏部１２は、略不透明に構成されている。また、カバー１は、後述する凸部１３が形成されている部分を除き、約１ｍｍの厚みｔ１を有している。
【００２６】
複数のＬＥＤ用基板３は、図２に示すように、平面視で矩形形状を有し、長手方向（Ｘ方向）に延びるように形成されている。また、複数のＬＥＤ用基板３は、図示しない配線により隣接するＬＥＤ用基板３に接続されている。また、図３に示すように、各ＬＥＤ用基板３の実装面３ａには、複数のＬＥＤ素子３１が長手方向に所定の間隔を隔てて１列で実装されている。
【００２７】
また、ＬＥＤ素子３１は、図４および図５に示すように、Ｚ２側に光が出射される光出射面３１ａが位置するように実装面３ａに実装されている。これにより、ＬＥＤ素子３１は、光出射面３１ａのＺ方向の直下（Ｚ２側）において最も光の明るさ（光度）が大きくなる。また、図４に示すように、ＬＥＤ素子３１は、約１２０度の指向角（配光角）２θ１／２を有している。つまり、ＬＥＤ素子３１の光は、光出射面３１ａを貫通しＺ方向に延びる直線Ｏから約６０度の角度（＝θ１／２）の位置において、光出射面３１ａのＺ方向の直下における光の明るさの半分の明るさになるように構成されている。
【００２８】
ここで、第１実施形態では、表部１１の下部（Ｚ２側）には、表部１１の内面１１ａから上方（Ｚ１側）に突出する凸部１３が表部１１に一体的に形成されている。この凸部１３は、ＬＥＤ素子３１の光出射面３１ａに対向する部分Ａに凸形状に形成されているとともに、表部１１のＬＥＤ素子３１の光出射面３１ａに対向する部分Ａに頂部１３ａが位置するように形成されている。なお、頂部１３ａにおける凸部１３は、厚みｔ２を有している。さらに、凸部１３は、短手方向（Ｙ方向）において、直線Ｏに対して鏡像対称に形成されているとともに、頂部１３ａから両端部１３ｂに向かって徐々に厚みが小さくなるように形成されている。これにより、凸部１３における表部１１の厚みは、凸部１３が設けられていない部分の表部１１の厚みよりも大きくなるように形成されている。さらに、ＬＥＤ素子３１の光出射面３１ａに対向する部分Ａにおける凸部１３の厚みは、ＬＥＤ素子３１の光出射面３１ａに対向する部分Ａから短手方向に離れた部分における表部１１の厚みよりも大きくなるように形成されている。ここで、頂部１３ａにおける厚みｔ２は、約３ｍｍ以上約４ｍｍ以下である。なお、凸部１３は、本発明の「拡散反射部」の一例である。
【００２９】
また、凸部１３は、表部１１に一体的に形成されていることにより、表部１１と同様に光を拡散反射させながら光を透過させることが可能に構成されている。この際、厚みの大きな凸部１３には、凸部１３が設けられていない厚みの小さな部分よりも多くの光拡散材が存在する。これにより、凸部１３における光の透過量に対する光の拡散反射量の割合は、凸部１３が設けられていない部分の表部１１における光の透過量に対する光の拡散反射量の割合よりも大きくなるように構成されている。この結果、ＬＥＤ素子３１から出射された光のうち、凸部１３に到達した光のうち多くの光が凸部１３内で拡散反射されることによって、凸部１３を透過する光の量が小さくなる。そして、凸部１３において拡散反射された光が凸部１３が設けられていない部分に到達することによって、凸部１３が設けられていない部分における光の量が大きくなる。
【００３０】
この結果、凸部１３において拡散反射された光が光出射面３１ａのＺ２側だけでなくＺ１側にも到達する。この光出射面３１ａのＺ１側に到達した光は、直管型ＬＥＤ照明装置１００のＺ１側に配置された反射板１０１（二点鎖線）によりＺ２側の広範囲に反射される。これにより、直管型ＬＥＤ照明装置１００の光がＺ２側の広範囲を照射するように構成されている。
【００３１】
また、第１実施形態では、表部１１の短手方向（Ｙ方向）において、凸部１３と凸部１３が設けられていない部分との境界に位置する凸部１３のＹ方向の両端部１３ｂが、ＬＥＤ素子３１の指向角２θ１／２の範囲内に位置するように設けられている。これにより、凸部１３の全体がＬＥＤ素子３１の指向角２θ１／２の範囲内に位置するように設けられている。
【００３２】
また、表部１１の内面１１ａにおいて、凸部１３と凸部１３が設けられていない部分とが、Ｙ方向の両端部１３ｂにおいてなだらかな曲線状に接続されている。つまり、両端部１３ｂにおける表部１１の内面１１ａは、所定の曲率半径を有するような曲線状に形成されている。
【００３３】
また、凸部１３は、図２に示すように、長手方向（Ｘ方向）に一様の厚みで延びるように形成されている。つまり、図５に示すように、頂部１３ａにおける凸部１３は、長手方向に厚みｔ２で延びるように形成されており、凸部１３の高さ位置は、長手方向に沿って一定である。
【００３４】
また、ＬＥＤ用基板３の実装面３ａには、複数のＬＥＤ素子３１の各々を覆うように、ドーム形状（半球形状）を有する蛍光体部材３２が複数設けられている。蛍光体部材３２は、樹脂材と蛍光体とを有しており、ＬＥＤ素子３１の光出射面３１ａから出射される光を受けて蛍光を放つように構成されている。
【００３５】
ヒートシンク４は、熱伝導性に優れた金属材（たとえば、アルミニウム材）からなるとともに、図２に示すように、長手方向（Ｘ方向）に延びるように形成されている。また、ヒートシンク４は、Ｚ２側に配置され、ＬＥＤ用基板３が載置された平坦状部４１と、Ｚ１側に配置された円弧状部４２とを含んでいる。平坦状部４１には、複数のＬＥＤ用基板３をガイドするための一対のガイド部４１ａが設けられている。円弧状部４２は、図４に示すように、カバー１の裏部１２の内面に沿うように形成されている。
【００３６】
第１実施形態では、上記のように、ＬＥＤ素子３１の光出射面３１ａに対向する部分Ａにおける凸部１３の厚みを、ＬＥＤ素子３１の光出射面３１ａに対向する部分Ａから短手方向（Ｙ方向）に離れた部分における表部１１の厚みよりも大きくなるように形成する。これにより、ＬＥＤ素子３１の光出射面３１ａに対向する部分Ａから離れた部分よりも、光の明るさが大きいＬＥＤ素子３１の光出射面３１ａに対向する部分Ａにおいてより多くの光を拡散反射させることができるので、ＬＥＤ素子３１の光出射面３１ａに対向する部分Ａにおける光の明るさを小さくすることができる。さらに、ＬＥＤ素子３１の光出射面３１ａに対向する部分Ａにおいて拡散反射した光が他の部分に拡散されることによって、他の部分の光の明るさを大きくすることができる。この結果、直管型ＬＥＤ照明装置１００の長手方向（Ｘ方向）の全領域において、短手方向の光の明るさにむらが生じることを抑制することができる。
【００３７】
また、第１実施形態では、凸部１３をＬＥＤ素子３１に対向するようにカバー１の表部１１に一体的に形成することによって、蛍光体部材３２の形状を特殊な形状にして光を所定の方向に拡散反射させる必要がないので、困難な蛍光体部材３２の形状加工を行う必要がない。これにより、直管型ＬＥＤ照明装置１００を容易に作成することができる。
【００３８】
また、第１実施形態では、凸部１３の全体がＬＥＤ素子３１の指向角２θ１／２の範囲内に位置することによって、明るさの大きい指向角２θ１／２の範囲内の光を拡散反射させることができるので、光の明るさにむらが生じることを確実に抑制することができる。
【００３９】
また、第１実施形態では、凸部１３における光の透過量に対する光の拡散反射量の割合を、凸部１３が設けられていない部分の表部１１における光の透過量に対する光の拡散反射量の割合よりも大きくする。これにより、凸部１３が設けられていない部分の表部１１における光の拡散反射量よりも、凸部１３における光の拡散反射量を大きくすることができるので、光の明るさにむらが生じることをより抑制することができる。
【００４０】
また、第１実施形態では、凸部１３における表部１１の厚みを、凸部１３が設けられていない部分の表部１１の厚みよりも大きくすることによって、凸部１３がカバー１の表部１１とは別個に設けられている場合と異なり、凸部１３と凸部１３が設けられていない部分との境界がユーザに視認されることを容易に抑制することができるとともに、直管型ＬＥＤ照明装置１００の構成を簡略化することができる。
【００４１】
また、第１実施形態では、表部１１のＬＥＤ素子３１の光出射面３１ａに対向する部分Ａに、最も大きな厚みｔ２を有する頂部１３ａが位置するように凸部１３を形成することによって、容易に、光の明るさが最も大きいＬＥＤ素子３１の光出射面３１ａに対向する部分Ａにおいて最も多くの光を拡散反射させることができるので、光の明るさにむらが生じることを効果的に抑制することができる。また、凸部１３が凹形状である場合と比べて、カバー１におけるＬＥＤ素子３１の光出射面３１ａに対向する部分Ａの厚みを容易に大きくすることができる。
【００４２】
また、第１実施形態では、凸部１３を頂部１３ａからＹ方向の両端部１３ｂに向かって徐々に厚みが小さくなるように形成することによって、カバー１の表部１１の厚みが急激に小さくなる場合と比べて、表部１１の厚みが変化する部分がユーザに視認されることを抑制することができる。
【００４３】
また、第１実施形態では、表部１１の内面１１ａにおいて、凸部１３と凸部１３が設けられていない部分とが、Ｙ方向の両端部１３ｂにおいてなだらかな曲線状に接続される。これにより、凸部１３と凸部１３が設けられていない部分との境界（両端部１３ｂ）がユーザに視認されることをより抑制することができる。
【００４４】
また、第１実施形態では、凸部１３を長手方向（Ｘ方向）に一様の厚みで延びるように形成することによって、ＬＥＤ素子３１の位置に合わせて凸部１３の長手方向の形状を変化させる必要がないので、長手方向に延びる凸部１３を容易に形成することができる。
【００４５】
また、第１実施形態では、凸部１３をカバー１の表部１１に設けることによって、凸部１３をカバー１から離間した位置に配置する場合と異なり、凸部１３の位置決めを容易に行うことができる。これにより、直管型ＬＥＤ照明装置１００を容易に作成することができる。
【００４６】
（第１実施形態の変形例）
次に、図６を参照して、本発明の第１実施形態の変形例による直管型ＬＥＤ照明装置２００の構成について説明する。この第１実施形態の変形例では、第１実施形態と異なり、カバー２０１の表部２１１に、内面２１１ａから突出しない肉厚部２１３を形成する場合について説明する。
【００４７】
本発明の第１実施形態の変形例による直管型ＬＥＤ照明装置２００では、図６に示すように、カバー２０１の表部２１１の下部（Ｚ２側）には、肉厚部２１３が表部２１１に一体的に形成されている。この肉厚部２１３は、ＬＥＤ素子３１の光出射面３１ａに対向する部分Ａに設けられているとともに、ＬＥＤ素子３１の光出射面３１ａに対向する部分Ａにおいて最も厚み（厚みｔ３）が大きくなるように形成されている。また、肉厚部２１３において、内面２１１ａの円弧の曲がり度合い（曲率）が外面２１１ｂの円弧の曲がり度合いよりも小さくなるように構成されている。これにより、肉厚部２１３は、ＬＥＤ素子３１の光出射面３１ａに対向する部分ＡからＹ方向の両端部２１３ｂに向かって、徐々に厚みが小さくなるような三日月状の断面形状を有するように形成されている。なお、直管型ＬＥＤ照明装置２００は、本発明の「照明装置」の一例であり、肉厚部２１３は、本発明の「拡散反射部」の一例である。
【００４８】
また、表部２１１の短手方向（Ｙ方向）において、肉厚部２１３と肉厚部２１３が設けられていない部分との境界に位置する肉厚部２１３のＹ方向の両端部２１３ｂが、ＬＥＤ素子３１の指向角２θ１／２に重なる位置に設けられている。これにより、肉厚部２１３の全体がＬＥＤ素子３１の指向角２θ１／２の範囲内に位置するように設けられている。なお、第１実施形態の変形例のその他の構成および効果は、上記第１実施形態と略同様である。
【００４９】
（第２実施形態）
次に、図７および図８を参照して、本発明の第２実施形態による直管型ＬＥＤ照明装置３００の構成について説明する。この第２実施形態では、第１実施形態と異なり、カバー３０１の表部３１１の内面３１１ａに、表部３１１とは別個に設けられた拡散反射部材３０７を配置する場合について説明する。
【００５０】
本発明の第２実施形態による直管型ＬＥＤ照明装置３００では、図７および図８に示すように、カバー３０１は一定の厚みｔ１（図８参照）で形成されているとともに、カバー３０１の内部には、表部３１１とは別個に設けられた拡散反射部材３０７が配置されている。この拡散反射部材３０７は、図７に示すように、長手方向（Ｘ方向）に一様の厚みで延びる丸棒材からなる。また、拡散反射部材３０７は、透光性を有する図示しない接着剤により表部３１１の内面３１１ａに接着されることによって、カバー３０１の内部に固定されている。なお、直管型ＬＥＤ照明装置３００は、本発明の「照明装置」の一例であり、拡散反射部材３０７は、本発明の「拡散反射部」の一例である。
【００５１】
また、拡散反射部材３０７は、図８に示すように、短手方向（Ｙ方向）の断面形状がＹ方向に長い楕円状に形成されている。また、拡散反射部材３０７は、ＬＥＤ素子３１の光出射面３１ａに対向する部分Ａにおいて表部３１１の内面３１１ａに当接している。これにより、第２実施形態では、ＬＥＤ素子３１の光出射面３１ａに対向する部分Ａにおける拡散反射部材３０７と表部３１１との合計の厚みは、ＬＥＤ素子３１の光出射面３１ａに対向する部分Ａから短手方向に離れた部分における厚みよりも大きくなるように形成されている。さらに、拡散反射部材３０７が配置された部分における拡散反射部材３０７と表部３１１との合計の厚みｔ４は、拡散反射部材３０７が配置されていない部分におけるカバー３０１の厚みｔ１よりも大きくなるように形成されている。
【００５２】
また、拡散反射部材３０７は、カバー３０１の表部３１１と同一の樹脂材および光拡散材からなる。これにより、拡散反射部材３０７は、ＬＥＤ素子３１から出射される光を拡散反射させながら光を透過させることが可能に構成されている。また、表部３１１の短手方向（Ｙ方向）において、拡散反射部材３０７は、ＬＥＤ素子３１の指向角２θ１／２の範囲内に位置するように配置されている。なお、第２実施形態のその他の構成は、上記第１実施形態と略同様である。
【００５３】
第２実施形態では、上記のように、表部３１１のＬＥＤ素子３１の光出射面３１ａに対向する部分Ａにおける拡散反射部材３０７と表部３１１との合計の厚みが、ＬＥＤ素子３１の光出射面３１ａに対向する部分Ａから短手方向（Ｙ方向）に離れた部分における厚みよりも大きくなるように形成する。これにより、ＬＥＤ素子３１の光出射面３１ａに対向する部分Ａにおける光の明るさを小さくすることができるとともに、他の部分の光の明るさを大きくすることができる。この結果、短手方向の光の明るさにむらが生じることを抑制することができる。
【００５４】
また、第２実施形態では、カバー３０１の内部に表部３１１とは別個に設けられた拡散反射部材３０７を配置することによって、拡散反射部材３０７をカバー３０１の表部３１１に一体的に設ける場合と異なり、表部３１１の厚みｔ１を異ならせることなく、ＬＥＤ素子３１の光出射面３１ａに対向する部分Ａの厚みをＬＥＤ素子３１の光出射面３１ａに対向する部分Ａから離れた部分の厚みよりも大きくすることができるので、容易に表部３１１を作成することができる。なお、第２実施形態のその他の効果は、上記第１実施形態と略同様である。
【００５５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５６】
たとえば、上記第１および第２実施形態では、直管型ＬＥＤ照明装置１００、２００、３００に本発明の構成を適用した例を示したが、本発明はこれに限られない。本発明では、電球型ＬＥＤ照明装置などの直管型ＬＥＤ照明装置以外の照明装置に本発明の構成を適用してもよい。
【００５７】
また、上記第１および第２実施形態では、凸部１３、肉厚部２１３および拡散反射部材３０７（拡散反射部）が長手方向に一様の厚みで延びる例を示したが、本発明はこれに限られない。本発明では、長手方向における拡散反射部の厚みを異ならせてもよい。たとえば、長手方向において、ＬＥＤ素子に対向する部分の拡散反射部の厚みをＬＥＤ素子から長手方向に離れた位置における拡散反射部の厚みよりも大きくするように形成してもよい。これにより、ＬＥＤ素子に対向する部分における光の明るさを小さくすることができるとともに、長手方向の他の部分の光の明るさを大きくすることができるので、長手方向において光の明るさにむらが生じることを抑制することが可能である。
【００５８】
また、上記第１および第２実施形態では、凸部１３、肉厚部２１３および拡散反射部材３０７（拡散反射部）を、約１２０度の指向角２θ１／２の範囲内に設けた例を示したが、本発明はこれに限られない。本発明では、ＬＥＤ照明装置の光の明るさ度合いによっては、拡散反射部を指向角２θ１／２の範囲外に設けてもよい。また、指向角２θ１／２は約１２０度より大きくてもよいし、小さくてもよい。
【００５９】
また、上記第１および第２実施形態では、凸部１３、肉厚部２１３および拡散反射部材３０７（拡散反射部）をそれぞれ単独で設けた例を示したが、本発明はこれに限られない。たとえば、第１実施形態の変形例における肉厚部２１３と、第２実施形態における拡散反射部材３０７とを組み合わせて本発明の拡散反射部を構成してもよい。
【００６０】
また、上記第１実施形態では、カバー１（２０１）の表部１１（２１１）の全体において同一の光拡散材を含む例を示したが、本発明はこれに限られない。本発明では、カバーの表部のうち、拡散反射部における表部が光拡散材を含む一方、拡散反射部が設けられていない部分の表部が光拡散材を含まないように構成してもよい。また、拡散反射部における光拡散材の性質と拡散反射部が設けられていない部分における光拡散材の性質とを異ならせてもよい。たとえば、カバーの表部のうち、拡散反射部における表部の光拡散材を、拡散反射部が設けられていない部分の表部の光拡散材よりもより多くの光を拡散反射可能な材料にしてもよい。これにより、同一の光拡散材を用いる場合よりも材拡散反射部における厚みを小さくすることが可能である。また、拡散反射部における光拡散材の含有率を、拡散反射部が設けられていない部分における光拡散材の含有率よりも大きくしてもよい。
【００６１】
また、上記第２実施形態では、拡散反射部材３０７がカバー３０１の表部３１１と同一の樹脂材および光拡散材からなる例を示したが、本発明はこれに限られない。本発明では、拡散反射部材が、カバーと異なる樹脂材および光拡散材からなるように構成してもよい。
【００６２】
また、上記第２実施形態では、表部３１１とは別個に設けられた拡散反射部材３０７が短手方向の断面形状が楕円状に形成された丸棒材からなる例を示したが、本発明はこれに限られない。たとえば、拡散反射部材の短手方向の断面形状は真円状でもよい。
【００６３】
また、上記第２実施形態では、拡散反射部材３０７を、透光性を有する接着剤により表部３１１の内面３１１ａに接着することによって、カバー３０１の内部に固定する例を示したが、本発明はこれに限られない。たとえば、カバーの内面に長手方向に延びるように係止部を設けて、係止部に拡散反射部材を係止させることによって、拡散反射部材をカバーの内部に固定してもよいし、２つのキャップの各々に拡散反射部材の長手方向の両端部をそれぞれ固定することによって、拡散反射部材をカバーの内部に固定してもよい。また、ＬＥＤ素子の光出射方向（Ｚ２側、図８参照）が鉛直下方向である場合には、拡散反射部材をカバーの内部に固定せずに、拡散反射部材の自重により、拡散反射部材がＬＥＤ素子に対向する部分に位置するように構成してもよい。
【符号の説明】
【００６４】
１  カバー
３  ＬＥＤ用基板（基板）
１３  凸部（拡散反射部）
３１  ＬＥＤ素子（発光素子）
３１ａ  光出射面
１００、２００、３００  直管型ＬＥＤ照明装置（照明装置）
２１３  肉厚部（拡散反射部）
３０７  拡散反射部材（拡散反射部）
【図１】
2014026940.tif 000003
【図２】
2014026940.tif 000004
【図３】
2014026940.tif 000005
【図４】
2014026940.tif 000006
【図５】
2014026940.tif 000007
【図６】
2014026940.tif 000008
【図７】
2014026940.tif 000009
【図８】
2014026940.tif 000010